(57)【要約】  ダウンリンク信号（例えば、ＳＳ／ＰＢＣＨ（同期信号／物理ブロードキャストチャンネル）ブロック（ＳＳＢ）またはＣＳＩ−ＲＳ（チャンネル−状態情報基準信号））と物理ランダムアクセスチャンネル（ＰＲＡＣＨ）リソースとの間の関連を効率的にシグナル化するための方法、装置およびシステムを開示する。いくつかの実施形態では、「ＰＲＡＣＨリソース当たりのＳＳＢの数」パラメータ値は、周波数多重化されたＰＲＡＣＨリソースの数および／またはＰＲＡＣＨプリアンブルフォーマット内のシンボルの数に関連付けられる。開示された技術の実施形態は、より柔軟なランダムアクセス構成を可能にし、より広範囲のネットワーク実装を可能にする。【選択図】図１０
2021510967.tif 000002
【特許請求の範囲】
【請求項１】
無線通信のための方法であって、
ネットワークノードから、第１パラメータおよび第２パラメータを通知する情報エレメントを受信するステップ；
前記第１パラメータに基づきランダムアクセスリソースを選択するステップ；
前記第２パラメータに基づいてランダムアクセスプリアンブルインデックスを選択するステップであって、前記第２パラメータの値は、前記第１パラメータと前記第２パラメータとの間の関係に基づいて、前記第２パラメータの最大値を超えない、ステップ；
前記選択されたランダムアクセスプリアンブルインデックスを有するプリアンブルを、前記選択されたランダムアクセスリソース上で送信するステップ；
を有する方法。
【請求項２】
無線通信のための方法であって、
無線デバイスに対して、第１パラメータおよび第２パラメータを通知する情報エレメントを送信するステップ；
複数のダウンリンク信号を送信するステップ；
ランダムアクセスリソース上においてランダムアクセスプリアンブルインデックスを有するプリアンブルを検出するステップ；
前記プリアンブルの受信に応答して、ランダムアクセス応答を送信するステップ；
を有し、
前記ランダムアクセスリソースと前記ランダムアクセスプリアンブルインデックスはそれぞれ、ランダムアクセスリソースのセットおよびランダムアクセスプリアンブルインデックスのセットから選択され、前記選択は、前記第１パラメータと前記第２パラメータに基づいて前記複数のダウンリンク信号のうちの１つに関連付けられ、前記第２パラメータの値は、前記第１パラメータと前記第２パラメータとの間の関係に基づいて、前記第２パラメータの最大値を超えない、
方法。
【請求項３】
前記第１パラメータはＳＳＢ−ｐｅｒ−ｒａｃｈ−ｏｃｃａｓｉｏｎであり、前記第２パラメータはＣＢ−ｐｒｅａｍｂｌｅｓ−ｐｅｒ−ＳＳＢである、
請求項１または２記載の方法。
【請求項４】
前記第２パラメータの値は、前記第１パラメータが閾値未満である場合は第１値範囲内にあり、
前記第２パラメータの値は、前記第１パラメータが前記閾値以上である場合は前記第１値範囲とは異なる第２値範囲内にある、
請求項１から３のいずれか１項記載の方法。
【請求項５】
前記第１値範囲の各値は、前記第２値範囲内の対応する値の倍数である、
請求項４記載の方法。
【請求項６】
無線デバイスにおいて実現される無線通信のための方法であって、
ネットワークノードから少なくとも１つのシグナリングパラメータを受信するステップ；
複数のダウンリンク信号を受信するステップ；
前記複数のダウンリンク信号のうちの少なくとも１つに基づいて測定値を生成するステップ；
前記測定値に基づいて前記複数のダウンリンク信号のうちの１つを選択するステップ；
前記少なくとも１つのシグナリングパラメータに基づいて、前記複数のダウンリンク信号のうちの１つに関連するランダムアクセスリソースのセットおよびランダムアクセスプリアンブルインデックスのセットを識別するステップ；
前記識別されたランダムアクセスリソースのセットからランダムアクセスリソースを選択し、前記識別されたランダムアクセスプリアンブルインデックスのセットからランダムアクセスプリアンブルインデックスを選択するステップ；
前記選択されたランダムアクセスリソース上において前記選択されたランダムアクセスプリアンブルインデックスを有するプリアンブルを送信するステップ；
を有する方法。
【請求項７】
前記複数のダウンリンク信号は、ＳＳ／ＰＢＣＨ（同期信号／物理ブロードキャストチャネル）ブロック（ＳＳＢ）、ＣＳＩ−ＲＳ（チャネル状態情報基準信号）、または実際に送信されるＳＳＢを含む、
請求項６記載の方法。
【請求項８】
前記測定値は、基準信号受信電力（ＲＳＲＰ）を含む、請求項６記載の方法。
【請求項９】
前記少なくとも１つのシグナリングパラメータは、周波数多重化物理ランダムアクセスチャネル（ＰＲＡＣＨ）リソースの数、プリアンブル内でシーケンスが繰り返される回数、実際に送信されるＳＳＢの数、ＳＳＢのグループ内で実際に送信されるＳＳＢの数、または連続するＰＲＡＣＨリソースの数を備える、
請求項６記載の方法。
【請求項１０】
前記ランダムアクセスリソースのセットは、ランダムアクセスリソースのより大きなセットから識別され、
前記ランダムアクセスプリアンブルインデックスのセットは、ランダムアクセスプリアンブルインデックスのより大きなセットから識別される、
請求項６記載の方法。
【請求項１１】
前記方法はさらに、前記プリアンブルの送信に応答して、ランダムアクセス応答を受信するステップを有する、
請求項６記載の方法。
【請求項１２】
前記少なくとも１つのシグナリングパラメータは、ランダムアクセス構成の一部として受信される、
請求項６記載の方法。
【請求項１３】
ネットワークノードにおいて実施される、無線通信の方法であって、
少なくとも１つのシグナリングパラメータを備えるランダムアクセス構成を無線デバイスに対して送信するステップ；
複数のダウンリンク信号を送信するステップ；
ランダムアクセスリソース上においてランダムアクセスプリアンブルインデックスを有するプリアンブルを検出するステップ；
前記プリアンブルの受信に応答して、ランダムアクセス応答を送信するステップ；
を有し、
前記ランダムアクセスリソースと前記ランダムアクセスプリアンブルインデックスはそれぞれ、ランダムアクセスリソースのセットおよびランダムアクセスプリアンブルインデックスのセットから選択され、前記選択は、前記少なくとも１つのシグナリングパラメータに基づいて、複数のダウンリンク信号のうちの１つに関連付けられる、
方法。
【請求項１４】
前記複数のダウンリンク信号は、ＳＳ／ＰＢＣＨ（同期信号／物理ブロードキャストチャネル）ブロック（ＳＳＢ）、ＣＳＩ−ＲＳ（チャネル状態情報基準信号）、または実際に送信されるＳＳＢを含む、
請求項１３記載の方法。
【請求項１５】
前記少なくとも１つのシグナリングパラメータは、周波数多重化物理ランダムアクセスチャネル（ＰＲＡＣＨ）リソースの数、プリアンブル内でシーケンスが繰り返される回数、実際に送信されるＳＳＢの数、ＳＳＢのグループ内で実際に送信されるＳＳＢの数、または連続するＰＲＡＣＨリソースの数を含む、
請求項１３記載の方法。
【請求項１６】
前記方法はさらに、
前記ランダムアクセス応答の送信に応答して、接続要求メッセージを受信するステップ；
前記接続要求メッセージの受信に応答して、ネットワークノードと無線デバイスとの間の後続のデータ送信のためのランダムアクセス手順の構成を完了する競合解決メッセージを送信するステップ；
を有する、
請求項１３記載の方法。
【請求項１７】
請求項１から１６のいずれか１項記載の方法を実施するように構成されたプロセッサを備える無線通信装置。
【請求項１８】
コンピュータ読み取り可能なプログラム媒体コードを格納したコンピュータプログラム製品であって、前記コードは前記プロセッサによって実行されるとき、前記プロセッサに請求項１から１６のいずれか１項記載の方法を実装させる、
コンピュータプログラム製品。
【発明の詳細な説明】
【技術分野】
【０００１】
＜関連出願の相互参照＞
本特許文献は、２０１８年１月１２日に出願された「下りリンクおよび上りリンクリソースの関連付けに基づく効率的シグナリング」という名称の米国仮特許出願第６２／６１７，０７３号の優先権および利益を主張する。前述の特許出願の全内容は、この特許文献の開示の一部として参照により組み込まれる。
【０００２】
この文書は、無線通信のためのシステム、装置、および技術に関する。
【背景技術】
【０００３】
無線通信技術は、ますます接続されネットワーク化された社会に向かって世界を動かしている。無線通信の急速な成長および技術の進歩は、性能および接続性に対するより大きな需要をもたらしている。エネルギー消費、デバイスコスト、スペクトル効率、および待ち時間などの他の側面も、様々な通信シナリオのニーズを満たすために重要である。既存のワイヤレスネットワークと比較して、次世代システムおよび無線通信技術は、はるかに深いカバー範囲および膨大な数の接続をサポートする必要がある。
【発明の概要】
【発明が解決しようとする課題】
【０００４】
本文書は、ダウンリンクおよびアップリンクリソースの関連付けに基づいて効率的なシグナリングを実施するための方法、システム、およびデバイスに関する。開示される技術の実施形態は、物理ランダムアクセスチャネル（ＰＲＡＣＨ）リソースを識別するために必要とされる構成ビットの数を低減する。これは、ウンリンク信号と他のシグナリングパラメータとの間の関連付けを使用してＰＲＡＣＨリソースを識別することによって達成され、より柔軟なランダムアクセス構成を可能にし、より広範囲のネットワーク実装を可能にする。
【課題を解決するための手段】
【０００５】
１つの例示的な態様では、無線通信方法が開示される。この方法は以下を有する：ネットワークノードから、少なくとも１つのシグナリングパラメータを受信するステップ；複数のダウンリンク信号を受信するステップ；前記複数のダウンリンク信号のうちの少なくとも１つに基づいて測定値を生成するステップ；前記測定値に基づいて前記複数のダウンリンク信号のうちの１つを選択するステップ；前記少なくとも１つのシグナリングパラメータに基づいて、前記複数のダウンリンク信号のうちの１つに関連するランダムアクセスリソースのセットとランダムアクセスプリアンブルインデックスのセットとを識別するステップ；ランダムアクセスプリアンブルインデックスの前記識別されたセットからランダムアクセスリソースを選択するとともにランダムアクセスプリアンブルインデックスの前記識別されたセットからランダムアクセスプリアンブルインデックスを選択するステップ；前記選択されたランダムアクセスリソース上で、前記選択されたランダムアクセスプリアンブルインデックスを有するプリアンブルを送信するステップ。
【０００６】
別の例示的な態様では、無線通信方法が開示される。この方法は以下を有する：少なくとも１つのシグナリングパラメータを有するランダムアクセス構成を無線デバイスに対して送信するステップ；複数のダウンリンク信号を送信するステップ；ランダムアクセスリソース上で、ランダムアクセスプリアンブルインデックスを有するプリアンブルを検出するステップ；前記プリアンブルの受信に応答して、ランダムアクセス応答を送信するステップ。前記ランダムアクセスリソースおよび前記ランダムアクセスプリアンブルインデックスはそれぞれ、ランダムアクセスリソースのセットおよびランダムアクセスプリアンブルインデックスのセットから選択され、前記選択は、前記少なくとも１つのシグナリングパラメータに基づいて前記複数のダウンリンク信号のうちの１つに関連している。
【０００７】
さらに別の例示的な態様では、無線通信方法が開示される。この方法は以下を有する：ネットワークノードから、第１パラメータおよび第２パラメータを通知する情報エレメントを受信するステップ；前記第１パラメータに基づいてランダムアクセスリソースを選択するステップ；前記第２パラメータに基づいてランダムアクセスプリアンブルインデックスを選択するステップであって、前記第２パラメータの値は、前記第１パラメータと前記第２パラメータとの間の関係に基づいて、前記第２パラメータの最大値を超えない、ステップ；前記選択されたランダムアクセスプリアンブルインデックスを持つプリアンブルを、前記選択されたランダムアクセスリソース上において送信するステップ。
【０００８】
さらに別の例示的な態様では、無線通信方法が開示される。この方法は以下を有する：第１パラメータおよび第２パラメータを通知する情報エレメントを無線デバイスに対して送信するステップ；複数のダウンリンク信号を送信するステップ；ランダムアクセスリソース上でランダムアクセスプリアンブルインデックスを有するプリアンブルを検出するステップ；プリアンブルの受信に応答して、ランダムアクセス応答を送信するステップ。前記ランダムアクセスリソースおよび前記ランダムアクセスプリアンブルインデックスはそれぞれ、ランダムアクセスリソースのセットおよびランダムアクセスプリアンブルインデックスのセットから選択され、前記選択は、前記第１パラメータおよび前記第２パラメータに基づいて、前記複数のダウンリンク信号のうちの１つに関連付けられ、前記第２パラメータの値は、前記第１パラメータと前記第２パラメータとの間の関係に基づいて、前記第２パラメータの最大値を超えない。
【０００９】
さらに別の例示的な態様では、上述の方法がプロセッサ実行可能コードの形態で実施され、コンピュータ可読プログラム媒体に格納される。
【００１０】
さらに別の例示的な実施形態では、上述の方法を実行するように構成されまたは動作可能なデバイスが開示される。
【００１１】
上記および他の態様ならびにそれらの実施は、図面、説明、および特許請求範囲においてより詳細に説明される。
【図面の簡単な説明】
【００１２】
【図１】開示している技術の実施形態に基づく、無線通信における基地局（ＢＳ）およびユーザ装置（ＵＥ）の一例を示す。
【００１３】
【図２】ＳＳ／ＰＢＣＨ（同期信号／物理ブロードキャストチャネル）ブロック（ＳＳＢ）と物理ランダムアクセスチャネル（ＰＲＡＣＨ）リソースとの例示的な関連付けを示す。
【００１４】
【図３】ＳＳＢとＰＲＡＣＨリソースとの別の例示的な関連付けを示す。
【００１５】
【図４】ＳＳＢとＰＲＡＣＨリソースとのさらに別の例示的な関連付けを示す。
【００１６】
【図５】ＳＳＢとＰＲＡＣＨリソースとのさらに別の例示的な関連付けを示す。
【００１７】
【図６】ＳＳＢとＰＲＡＣＨリソースとのさらに別の例示的な関連付けを示す。
【００１８】
【図７】ＳＳＢとＰＲＡＣＨリソースとのさらに別の例示的な関連付けを示す。
【００１９】
【図８】ＳＳＢとＰＲＡＣＨリソースとのさらに別の例示的な関連付けを示す。
【００２０】
【図９】ＳＳＢとＰＲＡＣＨリソースとのさらに別の例示的な関連付けを示す。
【００２１】
【図１０】無線デバイス（またはユーザ機器）上で実行される無線通信方法の例を示す。
【００２２】
【図１１】ネットワークノード（またはｇＮＢまたは基地局）上で実行される無線通信方法の一例を示す。
【００２３】
【図１２】この特許文献に記載された方法または技術を実施することができる装置の一部のブロック図表現である。
【発明を実施するための形態】
【００２４】
次世代（５Ｇ）無線通信システムは例えば、ランダムアクセス中にもビームフォーミングの使用をサポートするために、高度なランダムアクセス方式を使用することができる。そのようなスキームは、ビームフォーミング（例えば、デジタル、ハイブリッド、またはアナログビームフォーミング実装）、ならびにマルチＴＲＰ（送信／受信ポイント）実装の観点について、様々な基地局（ＢＳ）およびユーザ機器（ＵＥ）実装をサポートする。
【００２５】
ランダムアクセス手順の一部は、ＵＥがダウンリンク（ＤＬ）信号、例えばＳＳ／ＰＢＣＨ（同期信号／物理ブロードキャストチャンネル）ブロック（ＳＳＢ）および／またはＣＳＩ−ＲＳ（チャンネル状態情報基準信号）を測定することである。測定結果、例えば、ＲＳＲＰ（基準信号受信電力）は次に、ＰＲＡＣＨ（物理ランダムアクセスチャネル）リソースのサブセットおよび／またはＰＲＡＣＨプリアンブルインデックスのサブセットを選択するために使用される。
【００２６】
図１は、基地局（ＢＳ）１２０と、１つまたは複数のユーザ機器（ＵＥ）１１１、１１２、および１１３とを含む無線通信システムの例を示す。いくつかの実施形態では、基地局がシグナリングパラメータを含むランダムアクセス構成をブロードキャストし、次いで、ダウンリンク信号（１４１、１４２、１４３）をＵＥに対して送信する。ＵＥの各々はこの情報を受信し、選択されたＰＲＡＣＨリソース上で選択されたプリアンブル（１３１、１３２、１３３）を送信することができる。この選択は、ダウンリンク信号とシグナリングパラメータとの間の関連付けに基づく。
【００２７】
例えば、最も高いＲＳＲＰを有するＤＬ信号は、ＰＲＡＣＨリソースおよび／またはプリアンブルインデックスを選択するために使用される。場合によっては、ＰＲＡＣＨリソースおよび／またはプリアンブルインデックスを選択するためにどのＤＬ信号を使用するかを、ＵＥが選択する。いくつかの場合、たとえば、ＮｅｗＲａｄｉｏ（ＮＲ）では、設定可能である閾値を超える測定結果を有するＤＬ信号（たとえば、ＳＳＢ）のうちのいずれかを、ＵＥが選択し得る。
【００２８】
この特許文献に記載された開示された技術のいくつかの実施形態は、ダウンリンク（ＤＬ）信号の例としてＳＳＢを使用する。しかしながら、これらの実施形態は、設定されたＣＳＩ−ＲＳのセットなどのような他のＤＬ信号のセットとも互換性がある。実施形態はまた、「実際に送信されたＳＳＢ」（「現在のＳＳＢ」、すべてのＳＳＢのサブセットである場合もある）と互換性がある。実際に送信されたＳＳＢのサブセットは、ブロードキャストシステム情報（ＳＩ）（例えば、ＮＲにおけるシステム情報ブロック１（ＳＩＢ１））において、および／または専用（ＵＥ固有）シグナリング（例えば、ＲＲＣシグナリング）によって、通知することができる。実際に送信されるＳＳＢは、以下のパラメータ：ＳＳＢ−ｔｒａｎｓｍｉｔｔｅｄ−ＳＩＢ１、ＩｎＯｎｅＧｒｏｕｐ、ｇｒｏｕｐＰｒｅＳｅｎｃｅ、および／またはＳＳＢ−ｔｒａｎｓｍｉｔｔｅｄ、によって構成できる。これらパラメータは、実際に送信されるＳＳＢを示すために１つまたは複数のビットマップを使用する。
【００２９】
ＰＲＡＣＨリソースは、ＵＥがプリアンブルフォーマットに従ってＰＲＡＣＨプリアンブルを送信することができる時間−周波数リソースである。いくつかの実施形態では、ＰＲＡＣＨプリアンブルは、１つまたは複数のシンボル（またはシーケンス、例えばＺａｄｏｆｆ−Ｃｈｕシーケンス）から構成できる。例えばＯＦＤＭ（直交周波分割多重化）シンボルである。例えばＮＲは、単一シンボルＰＲＡＣＨプリアンブルフォーマットと、複数シンボル（またはシーケンス）をもつフォーマットの両方をサポートする。例えば、２、４、６および１２シンボル（またはシーケンス）である。異なるＰＲＡＣＨリソースは、周波数および／または時間において多重化される場合がある。いくつかのコンテキストでは、ＰＲＡＣＨリソースは、ＲＡＣＨオケージョン（ＲＯ）、ＰＲＡＣＨオケージョン、またはＰＲＡＣＨ送信オケージョンと呼ばれる。
【００３０】
ＵＥがＰＲＡＣＨリソースおよび／またはプリアンブルインデックスのサブセットを選択するためにＳＳＢを選択するメカニズムは、アソシエーション（マッピングとも呼ばれる）と呼ばれる。アソシエーションフレームワークでは、ＵＥが選択することができる各ＳＳＢは、ＰＲＡＣＨリソースのサブセットおよび／またはプリアンブルインデックスのサブセットに関連付けられる。いくつかの実施形態では、アソシエーションがネットワークによって（例えばＳＩ（例：ＳＩＢ１）において）、および／または専用（ＵＥ固有）シグナリング（例えばＲＲＣシグナリング）によって構成可能である。
【００３１】
ある実施形態では、ＰＲＡＣＨリソースのサブセットは、ＰＲＡＣＨリソース構成を使用して構成されるＰＲＡＣＨリソースのセットのサブセットであってもよい。たとえば、ＰＲＡＣＨリソースのセットのこのような設定は、ＬＴＥおよびＮＲにおけるもののように、ＰＲＡＣＨ設定インデックス（仕様上ではＰＲＡＣＨ−ＣｏｎｆｉｇｕｒａｔｉｏｎＩｎｄｅｘまたはＰＲＡＣＨＣｏｎｆｉｇｕｒａｔｉｏｎＩｎｄｅｘと呼ばれる）を介して実施できる。
【００３２】
いくつかの実施形態では、プリアンブルインデックスのサブセットは、ＰＲＡＣＨリソースにおいて利用可能なＰＲＡＣＨプリアンブル（プリアンブルシーケンス）のインデックスのセットのサブセットであってもよい。ＰＲＡＣＨリソースにおいて利用可能なインデックスのセットは、制限されたセットの構成、例えば、制限されたセットタイプＡまたはタイプＢ、巡回シフト構成、例えば、ＮＲにおけるｚｅｒｏＣｏｒｒｅｌａｔｉｏｎＺｏｎｅＣｏｎｆｉｇなどのような、様々な構成によって制限される場合がある。
【００３３】
ＳＳＢとＰＲＡＣＨリソースおよび／またはプリアンブルインデックスのサブセットとの間の関連性の効率的な設定（例：少数の設定ビット）のために、いくつかの単純な関連ルールといくつかの設定パラメータを指定することによって、それを定義することができる。ＮＲのいくつかの実施形態では、競合ベースのランダムアクセス（ＣＢＲＡ）のために、以下の規則を実装することができる：
【００３４】
（１）１つのＳＳＢを１つのＰＲＡＣＨリソースへ関連付けることがサポートされ、例えば、異なるＳＳＢが、ＰＲＡＣＨリソースの互いに素なサブセットに関連付けられる。
【００３５】
（２）１つのＰＲＡＣＨリソースへ多くのＳＳＢを関連付けることがサポートされ、例えば、異なるＳＳＢは、ＰＲＡＣＨリソースの重複するサブセットに関連付けることができる。
【００３６】
（３）１つのＳＳＢを多くの連続するＰＲＡＣＨリソースへ関連付ける。例えば、１つのＳＳＢは、１つの時間インスタンスにおいて全ての周波数多重化されたＰＲＡＣＨリソースに関連付けられる。
【００３７】
（４）各ＳＳＢは同じ数のＰＲＡＣＨプリアンブルインデックスに関連付けられ、例えば、関連付けられたプリアンブルサブセットは、等しいサイズである。
【００３８】
（５）ＳＳＢに関連するプリアンブルインデックスのサブセットは連続している。
【００３９】
（６）ＳＳＢは、ＰＲＡＣＨリソースのサブセットおよび／またはプリアンブルインデックスのサブセットに対して、以下の順序で連続的にマッピングされる：
【００４０】
（６．１）ＰＲＡＣＨリソースにおいてプリアンブルインデックスを増加させる、
【００４１】
（６．２）周波数多重化されたＰＲＡＣＨリソースを増加させる、
【００４２】
（６．３）時間多重化されたＰＲＡＣＨリソースを増加させる（例えば、最初にスロット内の連続したＰＲＡＣＨリソースに、次に後続のスロット内のＰＲＡＣＨリソースに）。
【００４３】
＜周波数多重＞
【００４４】
いくつかの実施形態では、周波数多重化されたＰＲＡＣＨリソースの数（簡潔にするためにＦで示される）は、「ＰＲＡＣＨリソース当たりのＳＳＢの数」パラメータ値に関連付けることができるシグナリングパラメータである。いくつかの実施形態では、このパラメータはＰＲＡＣＨ−ＦＤＭと示され、２ビットパラメータとして構成できる。
【００４５】
いくつかの実施形態では、周波数多重化されたＰＲＡＣＨリソースの数は、ＰＲＡＣＨリソースが構成される各時間インスタンスについて同じである。いくつかの実施形態では、周波数多重化ＰＲＡＣＨリソースの数は、ＰＲＡＣＨリソースが構成される異なる時間インスタンスにおいては異なる。
【００４６】
例えば、ＣＢＲＡのためのＰＲＡＣＨリソースおよびＣＦＲＡのための別のＰＲＡＣＨリソースの両方が、ある時間インスタンスにおいて構成され、一方、ＣＢＲＡのためのＰＲＡＣＨリソースまたはＣＦＲＡのための別のＰＲＡＣＨリソースのみが、他の時間インスタンスにおいて構成される場合である。いくつかの実施形態では、ＣＢＲＡのための周波数多重化されたＰＲＡＣＨリソースの数は、ＣＢＲＡのためのＰＲＡＣＨリソースがセル内で構成される各時間インスタンスについて同じである。
【００４７】
＜ＰＲＡＣＨプリアンブルフォーマット＞
【００４８】
様々な実施形態において、異なるプリアンブルフォーマットを構成することができる。いくつかの実施形態では、プリアンブルフォーマットは、パラメータのセット、例えば、以下のうちの１つ以上に対応する：
【００４９】
（１）シーケンス長（例えば、長さ１３９または８３９）
【００５０】
（２）周期的プレフィックス（ＣＰ）の継続時間
【００５１】
（３）ＣＰ（および／またはＣＰを除くプリアンブルの持続時間）をカウントせずに、プリアンブル内でシーケンスが繰り返される回数（簡潔にするためにＫで示される）
【００５２】
（４）副搬送波の間隔、
【００５３】
（５）帯域幅。
【００５４】
様々な実施形態において、プリアンブルフォーマットまたはプリアンブルフォーマットの一部は、例えばＰＲＡＣＨ構成インデックスを使用して、ＰＲＡＣＨリソース構成と一緒に通知される。いくつかの実施形態では、プリアンブルフォーマットまたはプリアンブルフォーマットの一部がＰＲＡＣＨリソース構成とは別に構成される。
【００５５】
＜アソシエーション設定パラメータ＞
【００５６】
開示される技術の実施形態は、競合ベースのランダムアクセス（ＣＢＲＡ）のためのランダムアクセス構成の文脈で説明される。これらの実施形態は、無競合ランダムアクセス（ＣＦＲＡ）のためのランダムアクセス構成に対して適用できる。
【００５７】
いくつかの実施形態では、ＳＳＢとＰＲＡＣＨリソースのサブセットおよび／またはプリアンブルインデックスのサブセットとの間の関連付けは、２つのパラメータを構成することによって達成される：
【００５８】
（１）ＰＲＡＣＨリソース当たりのＳＳＢ当たりのプリアンブルの数（簡潔にするためにＰで示される）。一部の実施形態では、このパラメータはＣＢ−ｐｒｅａｍｂｌｅｓ−ｐｅｒ−ＳＳＢと表記され、４ビットパラメータとして構成できる。
【００５９】
（２）ＰＲＡＣＨリソースに関連付けられたＳＳＢの数（簡潔にするためにＳと示される）。いくつかの実施形態において、このパラメータは、ＳＳＢ−ｐｅｒ−ｒａｃｈ−ｏｃｃａｓｉｏｎと記され、３ビットのパラメータとして構成できる。
【００６０】
様々な実施形態において、Ｓは１よりも大きいか、または１よりも小さい。例えば、Ｓ＝ＮまたはＳ＝１／Ｎであり、Ｎは、Ｎ＝２、４、８などの正の整数であることに留意されたい。
【００６１】
例えば、１より大きいＳ、例えば、Ｓ＝２は、２つの異なったＳＳＢが同じＰＲＡＣＨリソースに関連することを意味する。このような構成は例えば、同じＲＡＣＨリソースに関連付けられた異なるＳＳＢが、プリアンブルインデックスの異なる（例えば、互いに素である）セットに関連付けられるように構成される場合において、有用である。
【００６２】
例えば、１未満のＳ、例えば、Ｓ＝１／２は、１つのＳＳＢが２つの連続するＰＲＡＣＨリソースに関連付けられることを手段する。このような構成は例えば、１つの時間インスタンスに複数の周波数多重化ＰＲＡＣＨリソースがあるが、時間インスタンスごとに単一のビーム（単一のＳＳＢに対応する）を使用することができる場合において、有用である。
【００６３】
＜アソシエーションの例＞
【００６４】
図２〜図８は、いくつかの異なるＰＲＡＣＨリソース割当および８つのＳＳＢとの関連付けを伴う様々な実施形態を示す。図中のボックスは、ＰＲＡＣＨリソース、すなわち、ＰＲＡＣＨプリアンブルを送信することができる時間−周波数リソースを表す。ボックス内のテキスト（”ＳＳＢ  ０”  や”ＳＳＢ  １”  など）  は、ＳＳＢ  ０  とＳＳＢ  １  がＰＲＡＣＨリソースに割り当てられていることを表す。すべてのＳＳＢがＰＲＡＣＨリソースと関連付けられると、関連付けはラップアラウンドし、次のＰＲＡＣＨリソースにおいてＳＳＢ０と継続する。
【００６５】
図２は、２つのＳＳＢがＰＲＡＣＨリソースに関連付けられる、すなわちＳ＝２である例を示す。ＰＲＡＣＨリソース構成に基づいて、ＳＳＢは、ＰＲＡＣＨリソースと連続的に関連付けられる。全てのＳＳＢは、ＰＲＡＣＨを有する２つの時間インスタンスにおいて、ＰＲＡＣＨリソースと関連付けられる。
【００６６】
図３は、２つのＳＳＢがＰＲＡＣＨリソースに関連付けられる、すなわちＳ＝２である例を示す。ＰＲＡＣＨリソース構成に基づいて、ＳＳＢは、ＰＲＡＣＨリソースと連続的に関連付けられる。すべてのＳＳＢは、ＰＲＡＣＨリソースを有する１つの時間インスタンスにおいて、ＰＲＡＣＨリソースに関連付けられる。
【００６７】
図４は、８つのＳＳＢがＰＲＡＣＨリソースに関連付けられる、すなわち、Ｓ＝８である例を示す。ＰＲＡＣＨリソース構成に基づいて、ＳＳＢは、ＰＲＡＣＨリソースと連続的に関連付けられる。すべてのＳＳＢは、ＰＲＡＣＨリソースを有する１つの時間インスタンスにおいて、ＰＲＡＣＨリソースに関連付けられる。
【００６８】
図５は、１つのＳＳＢがＰＲＡＣＨリソースに関連付けられるが、各ＳＳＢが２つの連続するＰＲＡＣＨリソースに関連付けられる、すなわち、Ｓ＝１／２である例を示す。ＰＲＡＣＨリソース構成に基づいて、ＳＳＢは、ＰＲＡＣＨリソースと連続的に関連付けられる。全てのＳＳＢは、ＰＲＡＣＨリソースを有する８つの時間インスタンスにおいて、ＰＲＡＣＨリソースと関連付けられる。
【００６９】
図６は、１つのＳＳＢがＰＲＡＣＨリソースに関連付けられるが、各ＳＳＢが２つの連続するＰＲＡＣＨリソースに関連付けられる、すなわち、Ｓ＝１／２である例を示す。ＰＲＡＣＨリソース構成に基づいて、ＳＳＢは、ＰＲＡＣＨリソースと連続的に関連付けられる。全てのＳＳＢは、ＰＲＡＣＨリソースを有する１６個の時間インスタンスにおいて、ＰＲＡＣＨリソースと関連付けられる。
【００７０】
図７は、１つのＳＳＢがＰＲＡＣＨリソースに関連付けられるが、各ＳＳＢが４つの連続するＰＲＡＣＨリソースに関連付けられる、すなわち、Ｓ＝１／４である例を示す。ＰＲＡＣＨリソース構成に基づいて、ＳＳＢは、ＰＲＡＣＨリソースに連続的に関連付けられる。全てのＳＳＢは、ＰＲＡＣＨリソースを有する１６個の時間インスタンスにおいて、ＰＲＡＣＨリソースと関連付けられる。
【００７１】
図８は、１つのＳＳＢがＰＲＡＣＨリソースに関連付けられるが、各ＳＳＢが８つの連続したＰＲＡＣＨリソースに関連付けられる、すなわち、Ｓ＝１／８である例を示す。ＰＲＡＣＨリソース構成に基づいて、ＳＳＢは、ＰＲＡＣＨリソースに連続的に関連付けられる。全てのＳＳＢは、ＰＲＡＣＨリソースを有する１つの時間インスタンスにおいて、ＰＲＡＣＨリソースと関連付けられる。
【００７２】
＜ＰＲＡＣＨリソース（Ｓ）当たりのＳＳＢ数のシグナリング＞
【００７３】
図２〜図８に示す例に基づいて、Ｓに対する広範囲のパラメータ値をサポートする必要があることが明らかである。例において、値Ｓ＝｛８，２，１／２，１／４，１／８｝が示された。しかしながら、周波数多重化されたＰＲＡＣＨリソースの最大数、同じＳＳＢがすべてのＰＲＡＣＨリソースに関連付けられる連続する時間インスタンスの最大数、および同じＰＲＡＣＨリソースに関連付けられるＳＳＢの最大数に応じて、はるかに広い範囲のパラメータ値が必要とされる。
【００７４】
例えば、８個までの周波数多重化ＰＲＡＣＨリソースおよび同じＰＲＡＣＨリソースに関連する３２個までのＳＳＢを有する実施形態では、Ｓ＝｛３２、２８、２５、２４、２１、２０、１８、１６、１５、１４、１２、１０、９、８、７、６、５、４、３、２、１／１、２、１／３、１／４、１／５、１／６、１／７、１／８｝のパラメータ値をサポートする必要があり、これは２８個の値（５ビットを必要とする）である。
【００７５】
Ｓのための大きな値範囲をサポートするときの１つの潜在的な欠点は、パラメータ値が仕様において固定されるという仮定に依存することである。開示される技術のいくつかの実施形態では、Ｓのいくつかの値がいくつかのシナリオでのみ有用であることを利用することによって、様々な実施形態で、Ｓのより効率的なシグナリングが設計される。これにより、Ｓを示すビット数が少なくなる可能性がある。あるいは、Ｓを示すために使用されるある数のビットが与えられると、値の範囲を拡張することができ、より柔軟で効率的な関連付けを構成することができる。
【００７６】
いくつかの実施形態では、Ｓの値が周波数多重化ＰＲＡＣＨリソースの数（Ｆ）に依存するように構成される。
【００７７】
いくつかの実施形態では、Ｓの値が、構成されたＰＲＡＣＨプリアンブルフォーマット内のシンボル（またはシーケンス）の数（Ｋ）に依存するように構成される。
【００７８】
いくつかの実施形態では、Ｓの値が、周波数多重化されたＰＲＡＣＨリソースの数と、構成されたＰＲＡＣＨプリアンブルフォーマットにおけるシンボル（またはシーケンス）の数との両方に依存するように構成される。
【００７９】
＜Ｆに依存するＳの実施例＞
【００８０】
一例では、Ｓ’がランダムアクセス構成において、ＳＩ（例えば、ＳＩＢ１）および／または専用シグナリング（例えば、ハンドオーバコマンド）でシグナリングされるパラメータを示すものとする。いくつかの実施形態では、Ｓ’がＲＲＣパラメータＳＳＢ−ｐｅｒ−ＲＡＣＨ−ｏｃｃａｓｉｏｎであり、いくつかの実施形態では３ビットである。いくつかの実施形態では、Ｓおよび／またはＳ’の符号化および／または値範囲は、様々な実施形態において、ＡＳＮ．１を使用して、例えば、ＩＮＴＥＧＥＲ｛｝またはＥＮＵＭＥＲＡＴＥＤ｛｝タイプを使用して、指定される。たとえば、Ｓ’＝ＩＮＴＥＧＥＲ｛０．．３１｝またはＳ＝ＥＮＵＭＥＲＡＴＥＤ｛ｓ３２、ｓ２８、．．．、ｓ１ｏｖｅｒ７、ｓ１ｏｖｅｒ８｝のようになる。Ｓ３２は３２に対応し、Ｓ１ｏｖｅｒ７は１／７に対応する。
【００８１】
いくつかの実施形態ではＳ’の値の数がＳの値の数と同じであり、いくつかの場合にはいくつかの予約された値を含む。例えば、上の例でＳの２８個の異なるバルブが必要であるとすると、５ビットＳ’の値は０−３１であり、Ｓ＝｛３２，２８、．．．，１／７，１／８｝の値の１つに対応する値はそれぞれ０−２７である。Ｓ’の４つの残りの値は、将来の使用のために予約することができる。これを表１にまとめる。
【表１】
2021510967.tif 000003
【００８２】
様々な実施形態において、ＰＲＡＣＨリソースに関連するＳＳＢの数（Ｓ）は、シグナリングされたＳ’および周波数多重化されたＰＲＡＣＨリソースの数（Ｆ）の両方に基づく。Ｆは、様々な実施形態において別々にシグナリングされることに留意されたい。様々な実施形態では、Ｓの値はテーブルから得ることができ、Ｓ’およびＦの値を使用して１つのテーブルエントリを選択することができる。一実施形態を、例示的な値とともに表に示す。
【表２】
2021510967.tif 000004
【００８３】
様々な実施形態において、Ｆの値範囲は、例えばＰＲＡＣＨ構成インデックスによって構成されるような、ＰＲＡＣＨプリアンブルフォーマットに依存する。いくつかの実施形態では、Ｆの値範囲は、ＰＲＡＣＨプリアンブル帯域幅、ＰＲＡＣＨサブキャリア間隔、ＰＲＡＣＨシーケンス長、ＰＲＡＣＨ構成インデックスのうちの１つまたは複数に依存する。いくつかの実施形態では、Ｆの値範囲はテーブル内に定義され、これによりＦの最大値（Ｆｍａｘ）は、Ｆｍａｘ周波数多重化されたＰＲＡＣＨリソースが例えば連続的または非連続的に、初期アクティブアップリンク帯域幅部分の最大帯域幅に収まるように構成される。いくつかの実施形態では、初期アクティブアップリンク帯域幅部分の最大帯域幅はキャリア周波数に依存し、すなわち、異なる周波数範囲は異なる最大帯域幅を有する場合がある。いくつかの実施形態では、初期アクティブアップリンク帯域幅部分の最大帯域幅は、最小必要ＵＥ  ＵＬ送信帯域幅以下であり、これは異なるキャリア周波数範囲で異なる場合がある。
【００８４】
ＲＢ＝リソースブロック、ＳＣＳ＝サブキャリア間隔、およびｐｒａｃｈ−ＦＤＭ＝Fである例示的な実施形態を以下に示す。
●周波数範囲１（６ＧＨｚ未満）：
○１．２５ｋＨｚ  ＳＣＳの長シーケンス：ｐｒａｃｈ−ＦＤＭ＝｛１，２，４，８｝
・ｐｒａｃｈ−ＦＤＭ＝８  は８．６４ＭＨｚに対応（１５ｋＨｚで４８ＲＢ）
○５ｋＨｚ  ＳＣＳの長シーケンス：ｐｒａｃｈ−ＦＤＭ＝｛１，２，３，４｝
・ｐｒａｃｈ−ＦＤＭ  ＝  ８  は１７．２８ＭＨｚに対応（１５ｋＨｚで９６ＲＢ）
○１５ｋＨｚ  ＳＣＳの短シーケンス：ＰＲＡＣＨ-ＦＤＭ＝｛１，２，４，８｝
・ｐｒａｃｈ−ＦＤＭ＝８  は１７．２８ＭＨｚに対応（１５ｋＨｚで９６ＲＢ）
○３０ｋＨｚ  ＳＣＳの短シーケンス：ｐｒａｃｈ−ＦＤＭ＝｛１，２，３，４｝
・ｐｒａｃｈ−ＦＤＭ＝４  は１７．２８ＭＨｚに対応（１５ｋＨｚで９６ＲＢ）
●周波数範囲２（６ＧＨｚ以上）：
○６０ｋＨｚ  ＳＣＳの短シーケンス：ｐｒａｃｈ−ＦＤＭ＝｛１，２，４，８｝
・ｐｒａｃｈ−ＦＤＭ＝８  は６９．１２ＭＨｚに対応（６０ｋＨｚで９６ＲＢ）
○１２０ｋＨｚ  ＳＣＳの短シーケンス：ｐｒａｃｈ−ＦＤＭ＝｛１，２，３，４｝
・ｐｒａｃｈ−ＦＤＭ＝４  は６９．１２ＭＨｚに対応（６０ｋＨｚで９６ＲＢ）
【００８５】
＜Ｋに依存するＳの実施例＞
【００８６】
様々な実施形態において、ＰＲＡＣＨリソースに関連するＳＳＢの数（Ｓ）は、シグナリングされたＳ’と、構成されたＰＲＡＣＨプリアンブルフォーマット内のシンボル（またはシーケンス）の数（Ｋ）との両方に基づく。例えば、シンボルの数は、１、２、４、６、または１２とすることができる。Ｋは、様々な実施形態において、ＰＲＡＣＨ構成インデックスの一部として、別々にシグナリングすることができることに留意されたい。様々な実施形態において、Ｓの値はテーブルから得ることができ、Ｓ’およびＫの値を使用して１つのテーブルエントリを選択することができる。例示的な値を用いた実施形態を表３に示す。
【表３】
2021510967.tif 000005
【００８７】
いくつかの実施形態では、ＳはＫに関連付けることができる。これは、ＰＲＡＣＨリソースで使用されるプリアンブルフォーマットが多くのシンボル（またはシーケンス）を有する場合、多くのＳＳＢをＰＲＡＣＨリソースに関連付けることがより有用であるからである。例えば、１つのＰＲＡＣＨリソースへ多くのＳＳＢを関連付けることは、基地局がビームフォーミングを使用するがＴｘ／Ｒｘビーム対応をサポートしない場合において、有用である。そのようなシナリオでは、基地局がＰＲＡＣＨリソース中にＲｘビーム掃引を実行することができるように、基地局は多くのシンボルを有するプリアンブルフォーマットを構成することができる。この場合、多くのＳＳＢを１つのＰＲＡＣＨリソースアソシエーションに構成し、代わりに、異なるＳＳＢのためのプリアンブルインデックスの異なる（例えば、互いに素である）セットを構成することが有利である。一方、ＰＲＡＣＨリソースがショートシングルシンボルプリアンブルフォーマットに基づく場合、多くのＳＳＢをＰＲＡＣＨリソースに関連付ける必要性はより低い。
【００８８】
＜ＦおよびＫに依存するＳの実施例＞
【００８９】
様々な実施形態において、ＰＲＡＣＨリソースに関連するＳＳＢの数（Ｓ）は、シグナリングされたＳ’、周波数多重化されたＰＲＡＣＨリソースの数（Ｆ）、および構成されたＰＲＡＣＨプリアンブルフォーマット内のシンボル（またはシーケンス）の数（Ｋ）の両方に基づく。様々な実施形態において、Ｓの値をテーブルから得ることができ、Ｓ’、Ｆ、およびＫの値を使用して、１つのテーブルエントリを選択することができる。様々な実施形態では、Ｓの値をテーブルのセットから得ることができる。いくつかの実施形態では、これらのテーブルのうちの１つはＦの１つの値に対応し、Ｓ’およびＫの値は例えば、表３のように、これらのテーブルのうちの１つにおける１つのテーブルエントリを選択するために使用される。いくつかの実施形態では、これらのテーブルのうちの１つはＫの１つの値に対応し、Ｓ’およびＦの値は例えば、表２のように、これらのテーブルのうちの１つにおける１つのテーブルエントリを選択するために使用することができる。
【００９０】
＜追加の設定パラメータ（Ｚ）を含む実施形態＞
【００９１】
様々な実施形態において、ＳＳＢとＰＲＡＣＨリソースのサブセットおよび／またはプリアンブルインデックスのサブセットとの間の関連付けを構成するための、追加のパラメータＺが導入される。いくつかの実施形態では、パラメータＺは、同じアソシエーションおよび／またはＳＳＢが繰り返される（例えば、上述のマッピング順序に従って）連続するＰＲＡＣＨリソースの数を示す。この繰り返しは、上述のように、Ｎが正の整数であるＳ＝１／Nの場合と類似または同じである可能性がある。Ｚが使用される様々な実施形態では、Ｓの値はＳ＝Ｎに制限される。類似のまたは同じ関数が別個のパラメータＺによって達成される場合、そのような分数値（例えば、１／N）をＳに含める必要はない。
【００９２】
例えば、いくつかの実施形態では、図５の関連付けはＳ＝１およびＺ＝２を設定することによって達成することができる。図２〜図８に示される例についての類似の実施形態は、類似の様式で開示される。
【００９３】
いくつかの実施形態では、反復を示すために別個のパラメータＺを使用することの利点は、ＰＲＡＣＨリソースへの複数のＳＳＢの関連付けが、１より大きい反復と組み合わされ得ることである。
【００９４】
図９は、２つのＳＳＢがＰＲＡＣＨリソースに関連付けられ、すなわち、Ｓ＝２であり、各ＳＳＢが２つの連続したＰＲＡＣＨリソースに関連付けられ、すなわち、Ｚ＝２である例を示す。ＰＲＡＣＨリソース構成に基づいて、ＳＳＢは、ＰＲＡＣＨリソースと連続的に関連付けられる。全てのＳＳＢは、ＰＲＡＣＨリソースを有する４つの時間インスタンスにおいて、ＰＲＡＣＨリソースと関連付けられる。図９に示すように、Ｓ＝２とＺ＝２を組み合わせることが可能である。Ｚのない実施形態では、Ｓ＝２およびＳ＝１／２を同時に構成することは不可能である。
【００９５】
別個のＳおよびＺを有する実施形態は、関連付けのより柔軟な構成を可能にする。例えば、ＢＳビーム形成制約、例えば「ハイブリッドビーム形成実装」は、時間インスタンスにおけるＳＳＢの関連付けを２つのＳＳＢに制限する。図９の例ではＳＳＢ  ０およびＳＳＢ  １のみが、ＰＲＡＣＨリソースを有する第１時間インスタンスで受信されることができ、ＳＳＢ  ２および３のみが、第２時間インスタンスで受信されることができる。単一のパラメータＳ（Ｆ＝２の場合）では、典型的な構成はＳ＝１であり、すなわち、ＳＳＢ  ０は第１周波数多重化ＰＲＡＣＨリソースに関連付けられ、ＳＳＢ  １は第２周波数多重化ＰＲＡＣＨリソースに関連付けられる。図９のアソシエーションにおいては、１つのＳＳＢのＰＲＡＣＨプリアンブルが周波数多重化ＰＲＡＣＨリソースの間で分配され、これは例えば、特定のＳＳＢに関連するプリアンブルがＳＳＢに使用されるビーム上で受信されることがあるので、受信ＰＲＡＣＨ干渉を削減するという利点を有することができる。
【００９６】
様々な実施形態では、Ｚの値が周波数多重化ＰＲＡＣＨリソースの数（Ｆ）に依存する。
【００９７】
いくつかの実施形態では、Ｚ’はＺを構成するＲＲＣパラメータであり、様々な実施形態では１または２ビットである。いくつかの実施形態ではＺ’の値の数がＺの値の数と同じであり、いくつかの場合にはいくつかの予約された値を含む。いくつかの実施形態ではＺ＝ｍｉｎ（Ｚ’，Ｆ）、すなわち、関連付けは最大でＦ個のＰＲＡＣＨリソース上で繰り返されるように構成される。いくつかの実施形態では、Ｚ＝Ｚ’である。いくつかの実施形態では、Ｚ’＝｛０，１，２，３｝がＺ＝｛１，２，３，４｝またはＺ＝｛１，２，４，８｝に対応する。
【００９８】
いくつかの実施形態では、Ｚ’およびＦパラメータは、例えば表４のような表を使用することによってＺにマッピングされる。
【表４】
2021510967.tif 000006
【００９９】
様々な実施形態において、同じＰＲＡＣＨリソースに関連付けられたＳＳＢは、プリアンブルインデックスの互いに素なサブセットに関連付けられる。様々な実施形態において、同じＰＲＡＣＨリソースに関連付けられたＳＳＢは、プリアンブルインデックスの部分的にまたは完全に重複するサブセットに関連付けられる。様々な実施形態において、同じＰＲＡＣＨリソースに関連付けられたＳＳＢは、プリアンブルインデックスの部分的にまたは完全に重複するサブセットに関連付けられる。
【０１００】
いくつかの実施形態では、テーブル内のエントリのいくつかは、同じＰＲＡＣＨリソース（もしあれば）に関連付けられたＳＳＢが互いに素なプリアンブルサブセットに関連付けられていることを示す。いくつかの実施形態では、テーブル内のエントリのいくつかは、同じＰＲＡＣＨリソース（もしあれば）に関連付けられたＳＳＢが部分的にまたは完全に重複するプリアンブルサブセットに関連付けられることを示す。いくつかの実施形態では、重複するサブセットを示すエントリはさらに、（同じＰＲＡＣＨリソースに関連付けられた）Ｗ個のＳＳＢが（部分的にまたは完全に）重複するプリアンブルサブセットに関連付けられることを示す。いくつかの実施形態では、ＷはＳと等しい。いくつかの実施形態では、テーブル内の異なるエントリは異なるＷと対応する。例えば、Ｚ’の異なる値はＷ＝Ｓ、Ｗ＝ｆｌｏｏｒ（Ｓ／２）、Ｗ＝ｆｌｏｏｒ（Ｓ／４）、またはＷ＝Ｓ、Ｗ＝ｃｅｉｌ（Ｓ／２）、Ｗ＝ｃｅｉｌ（Ｓ／４）に対応し、ｆｌｏｏｒ（）およびｃｅｉｌ（）は、それぞれ、切り下げおよび切り上げである。このフレームワークの文脈における開示された技術の様々な実施形態を、表５および表６に、例示的な値（例えば、Ｆの値範囲）とともに示す。
【表５】
2021510967.tif 000007
【表６】
2021510967.tif 000008
【０１０１】
表５および６では、（素）とマークされたエントリについて、同じＰＲＡＣＨリソースに関連付けられた異なるＳＳＢは、プリアンブルインデックスの素サブセットに関連付けられる。これは、特定のＰＲＡＣＨリソースにおける特定のプリアンブルインデックスに対して、それが１つ以下のＳＳＢに関連付けられることを意味する。
【０１０２】
表５および表６では、（素）とマークされていないエントリについて、同じＰＲＡＣＨリソースに関連付けられたＳＳＢは、重複するプリアンブルサブセットと、様々な程度で関連付けられる。Ｗ＝Ｓとマークされたエントリの場合、同じＰＲＡＣＨリソースに関連付けられたＳ個のＳＳＢは、プリアンブルインデックスの（部分的または完全に）重複するサブセットに関連付けられる。Ｗ＝ｆｌｏｏｒ（W／ｘ）（例えば、ｘ＝２，４）とマークされたエントリについて、同じＰＲＡＣＨリソースに関連付けられたＷ個のＳＳＢのセットは、プリアンブルインデックスの（部分的にまたは完全に）重複するサブセットに関連付けられる。Ｓ−W個のＳＳＢの第２セットは、ＳＳＢの第１セットに関連するサブセットに対して素なプリアンブルインデックスのサブセットに関連付けられる。しかしながら、第２セット内のＳＳＢは、自身の間のプリアンブルインデックスの重複するサブセットに関連付けられてもよい。例えば、Ｓ＝４であり、Ｗ＝Ｓ／２＝２である場合、２つのセットの２つのＳＳＢの各々は、プリアンブルインデックスの重複するサブセットに関連付けられるが、異なるセットのＳＳＢは、プリアンブルインデックスの互いに素な（オーバーラップしない）サブセットに関連付けられる。様々な実施形態では、これらのサブセットのサイズは、ＰＲＡＣＨリソース当たりのＳＳＢ当たりのプリアンブルの数（Ｐ）によって与えられる。
【０１０３】
＜実際に送信されるＳＳＢの数（Ｌ）に依存するＳの実施例＞
【０１０４】
様々な実施形態において、パラメータ「ＰＲＡＣＨリソース当たりのＳＳＢの数」の値範囲は仕様において固定され、例えば、Ｓ＝｛１，２，３，４，８，１２，１６｝である。様々な実施形態において、Ｓの値は実際に送信されるＳＳＢの数に依存し、これはいくつかの実施形態では別々に構成される。実際に送信されるＳＳＢの数は、簡潔にするためにＬで示される。ＰＲＡＣＨリソース当たりに関連付けられたＳＳＢの数が実際に送信されたＳＳＢの総数のファクタである場合、実際に送信されたＳＳＢは、整数のＰＲＡＣＨリソースに関連付けられるので、有益である。いくつかの実施形態では、これはＰＲＡＣＨリソースの最も効率的な使用を可能とする。
【０１０５】
異なるＬに対するＳの値範囲の例示的な実施形態を表７に示す。
【表７】
2021510967.tif 000009
【０１０６】
様々な実施形態において、Ｓの値のサブセットは仕様において固定され、例えば、１、４、８であり、他の値はＬに依存する。その場合、テーブルはいくつかの実施形態において、Ｌに依存する値のみをリストする。正の整数Ｓのみが列挙されている例示的な実施形態が表８に与えられている。「＊」でマークされた値は、いくつかの実施形態では「予約値」である。
【表８】
2021510967.tif 000010
【０１０７】
様々な実施例において、Ｓの値の部分集合は、いくつかの正の整数ＡおよびＢの対に対してA＊Ｓ＊Ｆ＊Ｌ＊Ｂとなるように定義される。いくつかの実施例では、Ｓは最大Ｌに制限される。例えば、Ｆ＝４およびＬ＝１６の場合、Ｓは｛A，B｝＝｛４，１｝、｛A，B｝＝｛２，１｝、｛A，B｝＝｛１，１｝、｛A，B｝＝｛１，２｝、｛A，B｝＝｛１，４｝にそれぞれ対応する値１，２，４，８，１６を有することができる。
【０１０８】
さまざまな実施形態において、Ｎが正整数である分数Ｓ＝１／Ｎを含むＳの値はＬに依存する。例を表９に示す。
【表９】
2021510967.tif 000011
【０１０９】
いくつかの実施形態では、実際に送信されたＳＳＢの数は、２つの正の整数の積、すなわちＬ＝Ｃ＊Ｄである。例えば、実際に送信されたＳＳＢが２つのビットマップを使用して示され、１つのビットマップが（ＳＳＢの）グループ内で実際に送信されたＳＳＢを示し、２つ目のビットマップが送信されたグループを示す。このとき、送信された各グループ内で同じ数のＳＳＢが実際に送信されたと仮定する。
【０１１０】
たとえば、２つのビットマップのそれぞれが８ビットの場合、実際に送信されるＳＳＢの数（２つのビットマップで示される）は、Ｃ＝｛１，２，３，４，５，６，７，８｝  とＤ＝｛１，２，３，４，５，６，７，８｝  の各積である。つまり、最大数は６４ＳＳＢである。多くの実施形態では、Ｃ＝０、Ｄ＝０、および／またはＬ＝０の場合は実現可能ではなく、廃棄することができる。場合によっては、実際に送信されたＳＳＢが単一のビットマップ（例えば、４ビットまたは８ビット）によって示され、この場合、Ｌ＝｛１，２，３，４｝またはＬ＝｛１，２，３，４，５，６，７，８｝である。
【０１１１】
Ｌが２つの正の整数の積であるいくつかの実施形態では、Ｓは整数Ｃのうちの１つのみの関数である。例えば、グループ内で実際に送信されたＳＳＢの数に対応する整数である。２つのビットマップの場合と単一のビットマップの場合の両方が使用されるいくつかの実施形態では、例えば搬送波周波数の異なる範囲においてはＳは２つのビットマップのケース（Ｌが例えばＣとＤの積）におけるＣの関数であり、例えば搬送波周波数の特定の範囲においてはＳは単一のビットマップのケースにおけるＬの関数である。
【０１１２】
いくつかの実施形態では、Ｃの範囲がＬの範囲と一致し、例えば、Ｃ＝｛１，２，３，４，５，６，７，８｝およびＬ＝｛１，２，３，４，５，６，７，８｝である。いくつかの実施形態では、Ｌの範囲は、別の周波数範囲におけるＣおよび／またはＬの範囲のサブセットである。例えば、Ｃ＝｛１，２，３，４，５，６，７，８｝、Ｌ＝｛１，２，３，４｝。これらの場合、同じ関数を使用して、異なる周波数範囲についてＣおよび／またはＬからＳを得ることができる。様々な実施形態において、Ｓの値は、ＬまたはＣよりも大きい値を含む。いくつかの実施形態では、ＣがＳを選択するために使用される場合、およびＤ＞１、すなわちＬがＣより大きい場合において、これらの値を使用できる。いくつかの実施形態では、Ｓのこれらの値は、L＞＝Ｓの場合にのみ使用できる。これを表す１つの方法は、ｍｉｎ（L、「Ｓ値」）である。一例を表１０に示す。
【表１０】
2021510967.tif 000012
【０１１３】
様々な実施形態では、１つの周波数範囲、例えば６ＧＨｚ未満では、ＳＳＢの最大数（例えば、４または８）はＳの値の数（例えば、８）以下であり、したがって、ＳＳＢの各実現可能な数はＳの範囲の一部、例えば、｛１，２，３，４，５，６，７，８｝とすることができる。
【０１１４】
様々な実施形態では、別の周波数範囲、例えば、６ＧＨｚを超える周波数範囲について、ＳＳＢの最大数（例えば、６４）はＳの値の数よりも大きくすることができる。例えば、ＳＳＢのすべての実現可能な数は、Ｓの範囲の一部であるとは限らない、そのような実施形態においては、実際に送信されるＳＳＢの数が上述のように、２つのビットマップを介して表現され、Ｌ＝Ｃ×Ｄである。
【０１１５】
例えば、（ＲＭＳＩで示されるように）６ＧＨｚを超えて実際に送信されたＳＳＢの数は、グループ（Ｃ）内の実際に送信されたＳＳＢの数の整数倍であり、これは例えば、ＲＲＣパラメータＩｎＯｎｅＧｒｏｕｐ内のビットマップによって示される。グループごとに実際に送信されるＳＳＢの数は、Ｃ＝｛１，２，３，４，５，６，７，８｝である。同じＳＳＢセットがラップアラウンド後に異なるＲＡＣＨリソースに関連付けられるので、ＲＡＣＨリソースあたりのＳＳＢがＣの整数倍であれば有益である。いくつかの実施形態では、ＳＳＢのすべての実現可能な数がＳの値の一部であるとは限らない場合、Ｓの値はグループ（Ｃ）内の実際に送信されたＳＳＢの数に依存する。
【表１１】
2021510967.tif 000013
【０１１６】
＜Ｆ、Ｋおよび／またはＬに依存するＳの実施例＞
【０１１７】
様々な実施形態において、Ｓの値は、パラメータＦ、Ｋおよび／またはＬ（Ｃおよび／またはＤを含む）の組み合わせに依存する。
【０１１８】
いくつかの実施形態では、特定のＦおよびＬ（またはＣおよび／またはＤ）に関するＳの値は、同じ時間インスタンス内のＰＲＡＣＨリソースに関連する各ＳＳＢが、同じ量のＰＲＡＣＨリソースおよび／またはプリアンブルインデックスに関連付けられるような値である。
【０１１９】
いくつかの実施形態では、特定のＦおよびＬ（またはＣおよび／またはＤ）に対するＳの値は、単一のＳＳＢを関連付けできる（同じＰＲＡＣＨリソースに関連付けられた他のＳＳＢがない）連続するＰＲＡＣＨリソースの数が、Ｆによって制限されるような値である。
【０１２０】
いくつかの実施形態では、異なる搬送波周波数範囲に対して異なるテーブルが使用される。例えば、１つのテーブルは３ＧＨｚ以下、１つのテーブルは３ＧＨｚから６ＧＨｚの間、１つのテーブルは６ＧＨｚ以上である。これらの範囲はそれぞれ、４ビットのビットマップ、８ビットのビットマップ、および８ビット＋８ビットの２つのビットマップ（グループ付き）に対応する。
【０１２１】
いくつかの実施形態において、Ｓの値は表１２に例示されるように、Ｃ（またはＬ）およびＦの組み合わせによって決定される。いくつかの実施形態において、Ｓ＝１／Ｎ（Ｎは正整数）の形式のＳは、Ｆが少なくともＮである場合にのみ、値範囲に含まれる。いくつかの実施形態において、エントリは、Ｓ＝ＮまたはＳ＝ｍｉｎ（L，Ｎ）の形式のその他の値に対応する。
【表１２】
2021510967.tif 000014
【０１２２】
いくつかの実施形態では、異なる搬送波周波数範囲に対して異なるテーブルが使用される。例えば、１つのテーブルは３ＧＨｚ以下、１つのテーブルは３ＧＨｚから６ＧＨｚの間、１つのテーブルは６ＧＨｚ以上である。これらの範囲はそれぞれ、４ビットのビットマップ、８ビットのビットマップ、および８ビット＋８  ビットの２つのビットマップ（グループ付き）に対応する。
【０１２３】
いくつかの実施形態では、３ＧＨｚのテーブルおよび／または４ビットテーブルは、異なるＬに対応する４つの行を有する。いくつかの実施形態では、Ｓ値範囲（３ＧＨｚ未満および／または４ビットテーブル）は、他のパラメータに依存しない。例えば、Ｓ＝｛１、２、３、４、１／２、１／４、１／４、１／８、予約済み｝またはＳ＝｛１、２、３、４、１／２、１／４、１／８、１／１６｝。
【０１２４】
いくつかの実施形態では、３〜６ＧＨｚ（および／または単一の８ビットのビットマップ）のテーブルは、６ＧＨｚ（および／または２つの８ビットのビットマップ）以上のテーブルとは異なる。いくつかの実施形態では、例えば表１２と同様に、両方の場合に同じ表が使用される。
【０１２５】
＜Ｓに依存するＰＲＡＣＨリソース当たりのＳＳＢ当たりのプリアンブル数（Ｐ）の実施例＞
【０１２６】
様々な実施形態において、ＰＲＡＣＨリソース当たりのプリアンブルの総数が固定されるか、または仕様によって、例えば６４として与えられる。いくつかの実施形態では、それは例えば、６４、１２８、または２５６に構成可能である。ＰＲＡＣＨリソース当たりのＳＳＢ当たりのプリアンブルの数（Ｐ）がこの数（例えば、６４まで）の範囲内にある場合、最も効率的であることは明らかである。しかしながら、同じＲＡＣＨリソースに関連付けられた複数のＳＳＢと、プリアンブルインデックスの互いに素なサブセットに関連付けられたＳＳＢとは、プリアンブルの総数に代えて、ＲＡＣＨリソースに関連付けられたＳＳＢにわたって合計された数が、この数内に入るべきである。例えば、８つのＳＳＢが、全部で６４個の利用可能なプリアンブルインデックスを有する同じＲＡＣＨリソース内の互いに素なサブセットに関連付けられる場合、サブセットは互いに素であり得ないので、８個を超えるインデックスを有するプリアンブルインデックスのサブセットにＳＳＢを関連付けることは、不合理である。一方、少数のＳＳＢのみがＰＲＡＣＨリソースに関連付けられる場合（例えば１個のＳＳＢ）、それを、大きいプリアンブルインデックスのサブセット、例えばＰＲＡＣＨリソース内の全ての利用可能なプリアンブルインデックス（例えば６４）に関連付けることが可能であるべきである。したがって、ＰＲＡＣＨリソース当たりのＳＳＢ当たりのプリアンブル数（Ｐ）の値範囲が、ＰＲＡＣＨリソース（Ｓ）当たりのＳＳＢの構成数に依存する場合、ＰＲＡＣＨリソース当たりのＳＳＢ当たりのプリアンブル数（Ｐ）のより効率的な通知を達成することができる。Ｓが小さい場合は、Ｐの値の範囲として、より大きなＰの値を含めるべきである。Ｓが大きい場合は、Ｐの値の範囲として、より小さなＰの値を含めるべきである。
【０１２７】
一例では、Ｓ≦４の場合：Ｐ＝４＊Ｎ、Ｎ＝１、…、１６、Ｓ＞４の場合：Ｐ＝４＊Ｎ、Ｎ＝１／４、１／２、１、…、１４。
【０１２８】
別の例では、Ｓ≦４の場合、Ｐ＝４＊Ｎ、Ｎ＝１、…、１６、Ｓ＞４の場合、Ｐ＝Ｎ、Ｎ＝１、…、１６。
【０１２９】
さらに別の例では、Ｓ＜４の場合、Ｐ＝４＊Ｎ、Ｎ＝１、…、１６、Ｓ≧４の場合、Ｐ＝N、Ｎ＝１、…、１６。
【０１３０】
図１０は、無線デバイス（またはユーザ機器）上で実行される無線通信方法の例を示す。方法１０００は、ステップ１０１０において、ネットワークノードから少なくとも１つのシグナリングパラメータを受信することを含む。いくつかの実施形態では、少なくとも１つのシグナリングパラメータは、ランダムアクセス構成の一部として受信される。他の実施形態では、少なくとも１つのシグナリングパラメータは、周波数多重化物理ランダムアクセスチャネル（ＰＲＡＣＨ）リソースの数、プリアンブル内でシーケンスが繰り返される回数、実際に送信されたＳＳＢの数、ＳＳＢのグループ内で実際に送信されたＳＳＢの数、または連続したＰＲＡＣＨリソースの数、のうちの１つまたは複数を備える。
【０１３１】
方法１０００は、ステップ１０２０において、複数のダウンリンク信号を受信するステップを含む。いくつかの実施形態では、複数のダウンリンク信号は、ＳＳ／ＰＢＣＨ（同期信号／物理ブロードキャストチャネル）ブロック（ＳＳＢ）、ＣＳＩ−ＲＳ（チャネル状態情報基準信号）、または実際に送信されるＳＳＢを含む。
【０１３２】
方法１０００は、ステップ１０３０において、複数のダウンリンク信号のうちの少なくとも１つに基づいて測定値を生成するステップを含む。いくつかの実施形態では、測定値は基準信号受信電力（ＲＳＲＰ）を含む。
【０１３３】
方法１０００は、ステップ１０４０において、測定に基づいて、複数のダウンリンク信号のうちの１つを選択するステップを含む。
【０１３４】
方法１０００は、ステップ１０５０において、少なくとも１つのシグナリングパラメータに基づいて、複数のダウンリンク信号のうちの１つに関連するランダムアクセスリソースのセットおよびランダムアクセスプリアンブルインデックスのセットを識別することを含む。いくつかの実施形態では、ランダムアクセスリソースのセットはランダムアクセスリソースのより大きなセットから識別され、ランダムアクセスプリアンブルインデックスのセットはランダムアクセスプリアンブルインデックスのより大きなセットから識別される。他の実施形態では、ランダムアクセスリソースのセットおよびランダムアクセスプリアンブルインデックスのセットの識別は、本特許文献に開示される様々な実施形態の文脈で説明しているように、実行される。
【０１３５】
方法１０００はステップ１０６０において、識別されたランダムアクセスリソースのセットからランダムアクセスリソースを選択し、識別されたランダムアクセスプリアンブルインデックスのセットからランダムアクセスプリアンブルインデックスを選択することを含む。
【０１３６】
方法１０００は、ステップ１０７０において、選択されたランダムアクセスリソース上で、選択されたランダムアクセスプリアンブルインデックスを有するプリアンブルを送信することを含む。
【０１３７】
図１１は、ネットワークノード（またはｇＮＢまたは基地局）上で実行される無線通信方法の一例を示す。この例には、図１０に示され、本文書で説明されているものと類似するいくつかの特徴および／またはステップが含まれる場合がある。これらの特徴および／または構成要素のうちの少なくともいくつかは、このセクションでは別個に説明されないことがある。
【０１３８】
方法１１００は、ステップ１１１０において、少なくとも１つのシグナリングパラメータを備えるランダムアクセス構成を無線デバイスに対して送信することを含む。いくつかの実施形態では、少なくとも１つのシグナリングパラメータは、周波数多重化物理ランダムアクセスチャネル（ＰＲＡＣＨ）リソースの数、プリアンブル内でシーケンスが繰り返される回数、実際に送信されるＳＳＢの数、ＳＳＢのグループ内で実際に送信されるＳＳＢの数、または連続するＰＲＡＣＨリソースの数を備える。
【０１３９】
方法１１００は、ステップ１１２０において、複数のダウンリンク信号を送信するステップを含む。いくつかの実施形態では、複数のダウンリンク信号は、ＳＳ／ＰＢＣＨ（同期信号／物理ブロードキャストチャネル）ブロック（ＳＳＢ）、ＣＳＩ−ＲＳ（チャネル状態情報基準信号）、または実際に送信されるＳＳＢを含む。
【０１４０】
方法１１００は、ステップ１１３０において、ランダムアクセスリソース上においてランダムアクセスプリアンブルインデックスを有するプリアンブルを検出することを含む。
【０１４１】
方法１１００は、ステップ１１４０において、プリアンブルの受信に応答して、ランダムアクセス応答を送信することを含む。いくつかの実施形態ではランダムアクセスリソースおよびランダムアクセスプリアンブルインデックスはそれぞれ、ランダムアクセスリソースのセットおよびランダムアクセスプリアンブルインデックスのセットから選択され、この選択は、少なくとも１つのシグナリングパラメータに基づいて複数のダウンリンク信号のうちの１つに関連付けられる。
【０１４２】
方法１１００は、ランダムアクセス応答の送信に応答して、接続要求メッセージを受信することをさらに含んでもよい。方法１１００はさらに、接続要求メッセージの受信に応答して、ネットワークノードと無線装置との間の後続のデータ送信のためのランダムアクセス手順の構成を完了するための競合解決メッセージを送信することを含むことができる。
【０１４３】
ネットワークノードで実施される無線通信方法の別の例は、ネットワークノードにおいて実装されるものであり、以下のステップを有する：ネットワークノードから、第１パラメータと第２パラメータを通知する情報エレメントを受信するステップ；第１パラメータに基づいてランダムアクセスリソースを選択するステップ；第２パラメータに基づいてランダムアクセスプリアンブルインデックスを選択するステップであって、第２パラメータの値は、第１パラメータと第２パラメータとの間の関係に基づいて第２パラメータの最大値を超えないように構成される、ステップ；選択されたランダムアクセスプリアンブルインデックスを持つプリアンブルを選択されたランダムアクセスリソース上で送信するステップ。
【０１４４】
無線デバイスにおいて実装される無線通信方法のさらに別の例は、無線デバイスにおいて実装されるものであり、以下のステップを有する：第１パラメータおよび第２パラメータを通知する情報エレメントを無線デバイスに対して送信するステップ；複数のダウンリンク信号を送信するステップ；ランダムアクセスリソース上でランダムアクセスプリアンブルインデックスを有するプリアンブルを検出するステップ；プリアンブルの受信に応答して、ランダムアクセス応答を送信するステップ。ランダムアクセスリソースおよびランダムアクセスプリアンブルインデックスはそれぞれ、ランダムアクセスリソースのセットおよびランダムアクセスプリアンブルインデックスのセットから選択され、この選択は、第１パラメータおよび第２パラメータに基づいて複数のダウンリンク信号のうちの１つに関連付けられ、第２パラメータの値は、第１パラメータと第２パラメータとの間の関係に基づいて第２パラメータの最大値を超えない。
【０１４５】
これらの方法はさらに、第１パラメータはＳＳＢ−ｐｅｒ−ｒａｃｈ−ｏｃｃａｓｉｏｎであり、第２パラメータはＣＢ−ｐｒｅａｍｂｌｅｓ−ｐｅｒ−ＳＳＢであることを含むことができる。一例において、第２パラメータの値は、第１パラメータが閾値未満である場合に第１値の範囲内にあり、第２パラメータの値は、第１パラメータが閾値以上である場合に第１値の範囲とは異なる第２値の範囲内にある。別の例では、第１範囲の各値は、第２範囲内の対応する値の倍数である。
【０１４６】
図１２は、開示されている技術のいくつかの実施形態による、無線局の一部のブロック図である。基地局または無線装置（またはＵＥ）などの装置１２０５は、本書で示される技術のうちの１つまたは複数を実装するマイクロプロセッサなどのプロセッサエレクトロニクス１２１０を含むことができる。装置１２０５は、アンテナ１２２０などの１つまたは複数の通信インターフェースを介して無線信号を送信および／または受信するためのトランシーバ電子機器１２１５を含むことができる。装置１２０５は、データを送受信するための他の通信インターフェースを含むことができる。装置１２０５は、データおよび／または命令などの情報を記憶するように構成された１つまたは複数のメモリ（明示的には図示せず）を含むことができる。いくつかの実装形態では、プロセッサ電子機器１２１０がトランシーバ電子機器１２１５の少なくとも一部を含むことができる。いくつかの実施形態では、開示された技法、モジュール、または機能のうちの少なくともいくつかは装置１２０５を使用して実装される。
【０１４７】
本明細書は図面と共に、例示的な手段である例示的なものに過ぎず、特に断らない限り、理想的または好ましい実施形態を暗示するものではないことが意図されている。本明細書で使用されるように、単数形「ａ」、「ａｎ」および「ｔｈｅ」は、文脈が明確にそわないことを示さない限り、複数形も同様に含むことが意図される。加えて、「ｏｒ」の使用は、文脈が明確にそわないことを示さない限り、「ａｎｄ／ｏｒ」を含むことが意図される。
【０１４８】
本明細書で説明される実施形態のいくつかは、方法またはプロセスの一般的なコンテキストで説明され、方法またはプロセスは、一実施形態において、ネットワーク化された環境内のコンピュータによって実行される、プログラムコードなどのコンピュータ実行可能命令を含む、コンピュータ可読媒体で実施されるコンピュータプログラム製品によって実装され得る。コンピュータ読み取り可能媒体は、読み取り専用メモリ、ランダムアクセスメモリ、コンパクトディスク、デジタル多用途ディスクなどを含むが、これらに限定されない、取り外し可能および非取り外し可能記憶装置を含むことができる。したがって、コンピュータ可読媒体は、一時的でない記憶媒体を含むことができる。一般に、プログラムモジュールは、特定のタスクを実行するか、または特定の抽象データタイプを実装するルーチン、プログラム、オブジェクト、コンポーネント、データ構造などを含み得る。コンピュータまたはプロセッサ実行可能命令、関連データ構造、およびプログラムモジュールは、本明細書に開示する方法のステップを実行するためのプログラムコードの例を表す。そのような実行可能命令または関連するデータ構造の特定のシーケンスは、そのようなステップまたはプロセスで説明される機能を実装するための対応する動作の例を表す。
【０１４９】
開示された実施形態のいくつかは、ハードウェア回路、ソフトウェア、またはそれらの組み合わせを使用して、デバイスまたはモジュールとして実装され得る。例えば、ハードウェア回路実装は、プリント回路基板の一部として集積される個別のアナログおよび／またはデジタル構成要素を含むことができる。代替的に、または追加的に、開示されたコンポーネントまたはモジュールは、特定用途向け集積回路（ＡＳＩＣ）および／またはフィールドプログラマブルゲートアレイ（ＦＰＧＡ）デバイスとして実装することができる。いくつかの実装形態は追加的にまたは代替的に、本出願の開示された機能に関連するデジタル信号処理の動作上の必要性のために最適化されたアーキテクチャを有する特殊化されたマイクロプロセッサであるデジタル信号プロセッサ（ＤＳＰ）を含むことができる。同様に、各モジュール内の様々なコンポーネントまたはサブコンポーネントは、ソフトウェア、ハードウェア、またはファームウェアで実現することができる。モジュール内のモジュールおよび／またはコンポーネント間の接続は、インターネット、有線、または適切なプロトコルを使用する無線ネットワークを介した通信を含むが、これらに限定されない、当技術分野で公知の接続方法および媒体のいずれか１つを使用して提供することができる。
【０１５０】
この文書は多くの詳細を含むが、これらは特許請求される発明の範囲または特許請求され得る発明の範囲に対する限定として解釈されるべきではなく、むしろ、特定の実施形態に特有の特徴の説明として解釈されるべきである。別個の実施形態の文脈で本文書に記載されている特定の特徴は、単一の実施形態においても組み合わせて実施することができる。逆に、単一の実施形態の文脈で説明される様々な特徴は複数の実施形態で別々に、または任意の適切なサブコンビネーションで実装することもできる。さらに、特徴は特定の組み合わせで動作するものとして上記で説明されてもよく、そのようなものとして最初に特許請求されてもよいが、特許請求される組み合わせからの１つまたは複数の特徴は場合によってはその組み合わせから削除されてもよく、特許請求される組み合わせはサブコンビネーションまたはサブコンビネーションの変形に向けられてもよい。同様に、動作は特定の順序で図面に示されているが、これは望ましい結果を達成するために、そのような動作が示された特定の順序で、または連続的な順序で実行されること、または示されたすべての動作が実行されることを必要とするものとして理解されるべきではない。
【０１５１】
少数の実装および例のみが説明されており、他の実装、拡張およびバリエーションは、本開示に記載され、図示されているものに基づいて行うことができる。
【図１】
2021510967.tif 000015
【図２】
2021510967.tif 000016
【図３】
2021510967.tif 000017
【図４】
2021510967.tif 000018
【図５】
2021510967.tif 000019
【図６】
2021510967.tif 000020
【図７】
2021510967.tif 000021
【図８】
2021510967.tif 000022
【図９】
2021510967.tif 000023
【図１０】
2021510967.tif 000024
【図１１】
2021510967.tif 000025
【図１２】
2021510967.tif 000026
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
無線通信のための方法であって、
無線デバイスによって、基地局から、ランダムアクセス手順を構成する情報エレメントを含む無線リソース制御（ＲＲＣ）シグナリングを受信するステップであって、前記情報エレメントは、ランダムアクセスオケージョン当たりの同期信号ブロックの数と、同期信号ブロック当たりのプリアンブルの数とを通知し、全ｋランダムアクセスオケージョン当たりの同期信号ブロックの数にわたって合計された前記同期信号ブロック当たりのプリアンブルの数は６４以下である、ステップ；
前記ランダムアクセス手順のための前記ＲＲＣシグナリングに基づいて選択されたランダムアクセスリソース上で、前記無線デバイスから前記基地局に対してプリアンブルを送信するステップ；
を有する方法。
【請求項２】
前記ランダムアクセスオケージョン当たりの同期信号ブロックの数がＳとして示され、前記同期信号ブロック当たりのプリアンブルの数がＰとして示され、Ｓ＜４の場合、Ｐ＝４×Ｎ、Ｎ＝１，・・・，１６である、
請求項１記載の方法。
【請求項３】
前記ランダムアクセスオケージョン当たりの同期信号ブロックの数がＳとして示され、前記同期信号ブロック当たりのプリアンブルの数がＰとして示され、Ｓ＝４の場合、Ｐ＝Ｎ、Ｎ＝１，・・・，１６である、
請求項１記載の方法。
【請求項４】
無線通信のための方法であって、
ランダムアクセス手順を構成する情報エレメントを含む無線リソース制御（ＲＲＣ）シグナリングを基地局によって無線デバイスに対して送信するステップであって、前記情報エレメントは、ランダムアクセスオケージョン当たりの同期信号ブロックの数と、同期信号ブロック当たりのプリアンブルの数とを通知し、前記ランダムアクセスオケージョン当たりの同期信号ブロックの数にわたって合計された前記同期信号ブロック当たりのプリアンブルの数は６４以下である、ステップ；
前記ＲＲＣシグナリングに応答して、前記ランダムアクセス手順のためのランダムアクセスリソース上において、前記基地局によってプリアンブルを無線デバイスから受信するステップ；
を有する方法。
【請求項５】
前記ランダムアクセスオケージョン当たりの同期信号ブロックの数がＳとして示され、前記同期信号ブロック当たりのプリアンブルの数がＰとして示され、Ｓ＜４の場合、Ｐ＝４×Ｎ、Ｎ＝１，・・・，１６である、
請求項４記載の方法。
【請求項６】
前記ランダムアクセスオケージョン当たりの同期信号ブロックの数がＳとして示され、前記同期信号ブロック当たりのプリアンブルの数がＰとして示され、Ｓ＝４の場合、Ｐ＝Ｎ、Ｎ＝１，・・・，１６である、
請求項４記載の方法。
【請求項７】
Ｐが４ビットパラメータとして構成され、Ｓが３ビットパラメータとして構成される、
請求項２、３、５、または６記載の方法。
【請求項８】
無線通信装置であって、
プロセッサ；
前記プロセッサによって実行されると前記プロセッサに、
基地局から、ランダムアクセス手順を構成する情報エレメントを含む無線リソース制御（ＲＲＣ）シグナリングを受信するステップであって、前記情報エレメントは、ランダムアクセスオケージョン当たりの同期信号ブロックの数および同期信号ブロック当たりのプリアンブルの数を通知し、前記ランダムアクセスオケージョン当たりの同期信号ブロックの数にわたって合計される前記同期信号ブロック当たりのプリアンブルの数は６４以下である、ステップ；
前記ランダムアクセス手順のための前記ＲＲＣシグナリングに基づいて選択されるランダムアクセスリソース上で、プリアンブルを前記基地局に対して送信するステップ；
を実行させるプロセッサ実行可能コードを含むメモリ；
を備える装置。
【請求項９】
前記ランダムアクセスオケージョン当たりの同期信号ブロックの数がＳとして示され、前記同期信号ブロック当たりのプリアンブルの数がＰとして示され、Ｓ＜４の場合、Ｐ＝４×Ｎ、Ｎ＝１，・・・，１６である、
請求項８記載の装置。
【請求項１０】
前記ランダムアクセスオケージョン当たりの同期信号ブロックの数がＳとして示され、前記同期信号ブロック当たりのプリアンブルの数がＰとして示され、Ｓ＝４の場合、Ｐ＝Ｎ、Ｎ＝１，・・・，１６である、
請求項８記載の装置。
【請求項１１】
無線通信のための装置であって、
プロセッサ；
前記プロセッサによって実行されると前記プロセッサに、
無線デバイスに対して、ランダムアクセス手順を構成する情報エレメントを含む無線リソース制御（ＲＲＣ）シグナリングを送信するステップであって、前記情報エレメントは、ランダムアクセスオケージョン当たりの同期信号ブロックの数と、同期信号ブロック当たりのプリアンブルの数とを通知、前記ランダムアクセスオケージョン当たりの同期信号ブロックの数にわたって合計された前記同期信号ブロック当たりのプリアンブルの数は６４以下である、ステップ；
前記ＲＲＣシグナリングに応答して、前記ランダムアクセス手順のためのランダムアクセスリソース上で、前記無線デバイスからプリアンブルを受信するステップ；
を実行させるプロセッサ実行可能コードを含むメモリ；
を備える装置。
【請求項１２】
前記ランダムアクセスオケージョン当たりの同期信号ブロックの数がＳとして示され、前記同期信号ブロック当たりのプリアンブルの数がＰとして示され、Ｓ＜４の場合、Ｐ＝４×Ｎ、Ｎ＝１，・・・，１６である、
請求項１１記載の装置。
【請求項１３】
前記ランダムアクセスオケージョン当たりの同期信号ブロックの数がＳとして示され、前記同期信号ブロック当たりのプリアンブルの数がＰとして示され、Ｓ＝４の場合、Ｐ＝Ｎ、Ｎ＝１，・・・，１６である、
請求項１１記載の装置。
【請求項１４】
Ｐが４ビットパラメータとして構成され、Ｓが３ビットパラメータとして構成される、
請求項９、１０、１２、または１３記載の装置。
【請求項１５】
プロセッサによって実行されると、前記プロセッサに、請求項１から７のいずれか１項記載の方法を実行させる、コンピュータプログラム。
【国際調査報告】
2021510967.tif 000027
2021510967.tif 000028
2021510967.tif 000029
2021510967.tif 000030
2021510967.tif 000031